(57)【要約】【課題】初心者にとっても容易にプレーをすることを可能とするゴルフクラブヘッドを提供する。【解決手段】失敗に対して許容が大きいゴルフクラブヘッドとゴルフクラブセットが開示される。ゴルフクラブヘッドは重心を低くすると共に慣性モーメントを大きくするために広い底壁を持ち、開口キャビティを有している。ゴルフクラブセットは、一本のドライバーと、複数本のフェアウェイウッドと、複数本のアイアンからなり、各々のクラブヘッドは低い重心と大きい慣性モーメントを有している。各クラブヘッドは少なくとも２６００ｇ・ｃｍ２の慣性モーメントを持つことが好ましい。【選択図】　　　図４
2004000552.tif 000002
【特許請求の範囲】
【請求項１】
前壁と、前壁の底端部から後方に延びる底壁と、前壁の頂端部から後方に延びる頂壁とを有し、前記底壁は前記頂壁より後方に大きく伸び、前記前壁、前記底壁及び前記頂壁は開口キャビティを画成する金属材料からなるボディを有し、
ロフト角が少なくとも１５°で、重心を通るＩｚｚ軸の回りの慣性モーメントが少なくとも２５００ｇ・ｃｍ２であるゴルフクラブヘッド。
【請求項２】
重心を通るＩｚｚ軸の回りの慣性モーメントが少なくとも２９００ｇ・ｃｍ２であり、ゴルフクラブヘッドがドライバーのクラブヘッドである請求項１に記載のゴルフクラブヘッド。
【請求項３】
ゴルフクラブヘッドが少なくとも１９°のロフト角を持ち、重心を通るＩｚｚ軸の回りの慣性モーメントが少なくとも２９００ｇ・ｃｍ２であるフェアウェイウッドクラブヘッドである請求項１に記載のゴルフクラブヘッド。
【請求項４】
ゴルフクラブヘッドは少なくとも２９°のロフト角を持ち、重心を通るＩｚｚ軸の回りの慣性モーメントが少なくとも２６００ｇ・ｃｍ２であるアイアンクラブヘッドである請求項１に記載のゴルフクラブヘッド。
【請求項５】
ボディは、低壁から上方に延び、開口キャビティを画成するリボン壁を更に有する請求項１に記載のゴルフクラブヘッド。
【請求項６】
ボディはステンレススチールである請求項１に記載のゴルフクラブヘッド。
【請求項７】
ボディはチタン合金である請求項１に記載のゴルフクラブヘッド。
【請求項８】
ゴルフクラブヘッドはオフセットホーゼルを有する請求項１に記載のゴルフクラブヘッド。
【請求項９】
０．０５０インチ〜０．２００インチの範囲の厚さの前壁を持つ請求項１に記載のゴルフクラブヘッド。
【請求項１０】
前壁と、前壁の底端部から後方に延びる底壁と、前壁の頂端部から後方に延びる頂壁を有し、前記底壁は前記頂壁より後方に大きく伸び、前記前壁、前記底壁及び前記頂壁は開口キャビティを画成するボディを有し、１５°〜１８°の範囲のロフト角を持ち、重心を通るＩｚｚ軸の回りの慣性モーメントが少なくとも２９００ｇ・ｃｍ２であるドライバーと、
前壁と、前壁の底端部から後方に延びる底壁と、前壁の頂端部から後方に延びる頂壁を有し、前記底壁は前記頂壁より後方に大きく伸び、前記前壁、前記底壁及び前記頂壁は開口キャビティを画成するボディを有し、１９°〜３０°の範囲のロフト角を持ち、重心を通るＩｚｚ軸の回りの慣性モーメントが少なくとも２９００ｇ・ｃｍ２である複数本のフェアウェイウッドと、
前壁と、前壁の底端部から後方に延びる底壁と、前壁の頂端部から後方に延びる頂壁を有し、前記底壁は前記頂壁より後方に大きく伸び、前記前壁、前記底壁及び前記頂壁は開口キャビティを画成するボディを有し、２９°〜６０°の範囲のロフト角を持ち、重心を通るＩｚｚ軸の回りの慣性モーメントが少なくとも２６００ｇ・ｃｍ２である複数本のアイアンと、
を備えるゴルフクラブセット。
【請求項１１】
ドライバー、複数のフェアウェイウッド及び複数のアイアンの各々はステンレススチールからなる請求項１０に記載のゴルフクラブセット。
【請求項１２】
ドライバー、複数のフェアウェイウッド及び複数のアイアンの各々はチタン合金からなる請求項１０に記載のゴルフクラブセット。
【請求項１３】
ドライバー、複数のフェアウェイウッド及び複数のアイアンの各々はオフセットホーゼルを有する請求項１０に記載のゴルフクラブセット。
【請求項１４】
複数のアイアンは、３５°のロフト角を持つロングアイアンと、４５°のロフト角を持つミドルアイアンと５５°のロフト角を持つショートアイアンを有する請求項１０に記載のゴルフクラブセット。
【発明の詳細な説明】
【０００１】
【発明の属する技術分野】
本発明はゴルフクラブに関する。特に、本発明は許容範囲を大きくするオープン空洞を有するゴルフクラブヘッドに関する。
【０００２】
【従来技術】
軽量で、広いソールと低い重心を有するゴルフクラブを持つことが要請されている。このようなゴルフクラブは初心者でアベレージゴルファがより容易に信頼性のあるショットを行うことを可能にし、よりショットに適したクラブを使用することを可能とする。
【０００３】
これらに貢献するための試みにおいて種々のクラブが設計されてきた。一つの例として、１９９５年７月４日に発行された米国特許第５，４２９，３５４号（’３５３特許）がある。’３５４特許のクラブはソール上のポイントから打球フェースに向けて延びる細長いフランジを持つクラウンレスのゴルフクラブである。軽量のフェースの理由のために、合成インサートがクラブヘッドの低い後方の重量配分を与え、メタルフェースとフェースセクションの振動を抑制することにより打撃の質を改善するようにしている。
【０００４】
他の例として、’３５４特許の継続出願特許である１９９６年５月２１日に発行された米国特許第５，５１８，２４２号がある。’２４２特許のクラウンレスクラブヘッドはチタニウムからなる打球フェースセクション又は圧縮鋳造されたチタニウム合金プレートのリムに固定された合成インサートを使用するものである。
【０００５】
他の例として、２０００年１０月３１日に発行された米国特許第６，１３９，４４６号がある。この特許は、打球表面と頂部マス領域の間を延びるリップセクションから頂部ソールセクション上の最も遠いまでリニアに走るマス領域を与えている。
【０００６】
他の例として、１９８９年６月６日に発行された米国特許第４，８３６，５５０号がある。この特許は、端部でソールに連結され垂直に延び、インパクトの点における背面と連結されるバック壁を持つアイアンクラブヘッドに関するものである。
【０００７】
発明の概要
　本発明の一つの態様は金属材料からなるボディを持つゴルフクラブヘッドである。ボディは前壁、前壁の底端部から後方に延びる底壁、及び前壁の頂端部から後方に延びる頂壁を持つ。底壁は頂壁より後方に大きく延びている。前壁、底壁及び頂壁は開口キャビティを画成する。クラブヘッドは少なくとも１５°のロフト角を持ち、クラブヘッドは重心を通るＩＺＺ軸の回りの慣性モーメントが少なくとも２５００ｇ／ｃｍ２である。
【０００８】
一つの実施例においては、クラブヘッドは、重心を通るＩＺＺ軸の回りの慣性モーメントが少なくとも２９００ｇ／ｃｍ２のドライバーである。他の実施例においては、クラブヘッドは、ロフト角が少なくとも１９°で、重心を通るＩＺＺ軸の回りの慣性モーメントが少なくとも２９００ｇ／ｃｍ２のフェアウェイウッドである。更に、他の実施例においては、クラブヘッドは、ロフト角が少なくとも２９°で、重心を通るＩＺＺ軸の回りの慣性モーメントが少なくとも２６００ｇ／ｃｍ２であるアイアンクラブヘッドである。
【０００９】
更に本発明の他の態様は、１本のドライバー、複数のフェアウェイウッド及び複数のアイアンからなるゴルフクラブセットである。ドライバーは１５°〜１８°のロフト角を持ち、重心を通るＩＺＺ軸の回りの慣性モーメントが少なくとも２９００ｇ／ｃｍ２である。複数のフェアウェイウッドの各々は１９°〜３０°のロフト角を持ち、複数のフェアウェイウッドの各々は重心を通るＩＺＺ軸の回りの慣性モーメントが少なくとも２９００ｇ／ｃｍ２である。複数のアイアンの各々は２９°〜６０°のロフト角を持ち、複数のアイアンの各々は重心を通るＩＺＺ軸の回りの慣性モーメントが少なくとも２６００ｇ／ｃｍ２である。
【００１０】
詳細な説明
　本発明は希にしかプレーをしないか、あるいは現在の道具を使用することに困難を感じているゴルファに適したゴルフクラブとゴルフクラブのセットに向けられている。本発明によるゴルフクラブは、希にしかプレーをしないゴルファにとってゴルフゲームをより楽しむことのできるように許容を大きくしている。
【００１１】
図１−８は本発明によるドライバークラブヘッドを示し、図９−１６は本発明によるフェアウェイウッドクラブヘッドを示し、図１７−２４は本発明によるアイアンクラブヘッドを示している。本発明の各クラブヘッドは重心を好ましい状態に低くした開口キャビティを持つボディを有する。
【００１２】
ゴルフクラブヘッドは全体として２０として示されている。ゴルフクラブヘッド２０は好ましくはステンレススチール、チタン合金、他のスチール合金等からなるボディ２２を有する。ボディ２２は好ましくはロスとワックスのような技術を用いた鋳造品であるが、鍛造や小片から形成することもできる。
【００１３】
ボディ２２は全体として前壁２４、底壁２６、リボン壁２８、頂壁３０およびホーゼル３２からなる。リボン壁は好ましくは後部リボン壁２８ａと、トオリボン壁２８ｂとヒールリボン壁２８ｃに区分される。ホーゼル３２はクラブヘッド２０のトオエンド３３の反対側のクラブヘッド２０のヒールエンドに位置している。
【００１４】
前壁２４はゴルフスウィング中にゴルフボールにインパクトする打球面３６を有する。前壁２４の打球面は好ましくはその上に複数のスコアラインを持ち、インパクトの間、ゴルフボールとの摩擦を増加するようにしている。前壁２４は好ましくは０．０５０インチ〜０．２００インチの範囲の厚さ、より好ましくは０．０８０インチ〜０．１５０インチ、最も好ましくは０．０９５インチ〜０．１２０インチの厚さを持つ。前壁２４の厚さは好ましくは均一である。それに代えて、前壁２４は、ここに、図１−１６のドライバーとフェアウェイウッドのクラブヘッド２０のために参照として組み入れられる米国特許第５，８３０，０８４号、米国特許第６，３６８，２３４号、出願継続中の米国特許出願第０９／６０６，８０９号に開示されているような、また、図１７−２４のアイアンクラブヘッドのためにここに参照として組み入れられる米国特許第５，９７１，８６８号に開示されているような厚さが変化するものでもよい。
【００１５】
底壁２６はゴルフスウィング中に地面と接触するソール面４０を持つ。ソール面４０はその上に図形や他の表示を持たせることができる。底壁は０．０２５インチ〜０．１５０インチの範囲、より好ましくは０．０４０インチ〜０．１００インチの範囲の厚さを持つ。低壁２６は好ましくは均一な厚さを持つ。それに代えて、底壁２６は前壁２４から後部リボン壁２８ａに向けて厚さが減少するようにテーパー状の厚さを持つようにしてもよい。
【００１６】
ボディ２２は前壁２４、底壁２６、リボン壁２８及び頂壁３０により画成される開口キャビティを持つ。通常のドタイバーとフェアウェイウッドにおいては、クラウンはこのような開口キャビティを覆っており、クラブヘッドの重量を増加させると共に重心を高くする。しかしながら、クラウンがない開口キャビティ５０は本発明のクラブヘッド２０の重心を低くすることを可能にしている。頂壁３０は部分的なクラウンとして機能し、開口キャビティ５０の比較的小さい部分、好ましくは開口キャビティ５０の３３％より小さい部分をカバーする。頂壁３０はゴルフボールとのインパクトの間、前壁２４を支持し、また、ゴルファがスウィング中に見ることを容易にする。ゴルファがインパクトの間に打球面３６の中心で打球すること助けるために指標５１が打球面３６の中心を示すようにしている。頂壁３０は好ましくは０．０２５インチ〜０．１５０インチの範囲、より好ましくは０．０４０インチ〜０．１００インチの厚みを持つ。頂壁３０は好ましくは均一な厚みを持つ。それに代えて頂壁３０は前壁２４から後方に向けて厚さが減少するようにテーパー状の厚さとすることができる。
【００１７】
ソール内面５２及びリボン内面５４は開口キャビティ５０に曝されている。開口キャビティ５０の回りに頂壁エッジ５６からリボン壁エッジ５８を通して境界線が形成されている。
【００１８】
クラブヘッド２０は好ましくはオフセットホーゼル３２を持つ。シャフト（図示せず）はホーゼル壁４２により画成される穴４４内に配置される。「Ｔｈｅ　Ｐｒｉｎｃｉｐｌｅ　＆　Ｐｒｏｃｅｄｕｒｅ　，　ｂｙ　Ｒａｌｐｈ　Ｍａｌｔｂｙ，　Ｒａｌｐｈ　Ｍａｌｔｂｙ　Ｅｎｔｅｒｐｒｉｓｅｓ，　Ｉｎｃ．　（４ｔｈＥｄｉｔｉｏｎ　１９９５　）」の５１４頁に定義されているように、ホーゼルオフセットはホーゼルの最も遠い前側の部分からフェースの中心線の最も遠い前側の部分との距離であり、フェースプログレッションはシャフト又はホーゼル穴の中心線とフェースの中心線の最も遠い前側の部分との距離である。ドライバーは図７に示されるように、ファウェイウッドは図１５に示されるように、アイアンは図２３に示されるように、ホーゼル３２の最も遠い前側の部分から前壁２４の最も遠い前側の部分までの距離であるホーゼルオフセットは好ましくはゼロである。ホーゼル穴４４の中心線からのフェースプログレッションは好ましくは前壁２４の後方である。
【００１９】
好ましい実施例では、図１−８に示されたドライバークラブヘッド２０は１５°〜１８°、最も好ましくは１８°のロフト角を有する。ライ角度は好ましくは５６°〜５８°である。ドライバークラブヘッド２０の質量は好ましくは１８０グラムから２５０グラム、最も好ましくは２１７グラムである。
【００２０】
図５に示されるように、ドライバークラブヘッド２０は２．７５インチ〜３．５０インチの範囲、より好ましくは３．００ンチ〜３．２５インチの範囲の長さＬｓを持つ。図２に示されるように、ドライバークラブヘッドは２．７５インチ〜４．５０インチの範囲、より好ましくは３．００インチ〜３．２５インチ、最も好ましくは３．２０インチ〜３．５インチの幅Ｗｆを、また、好ましくは１．５０インチ〜２．００インチの範囲、より好ましくは１．６０インチ〜１．８０インチの高さＨｆを持つ。
【００２１】
ドライバークラブヘッド２０は、１６インチ〜２４インチの範囲、より好ましくは１８〜２２インチ、最も好ましくは２０インチのバルジ半径（ｂｕｌｇｅ　ｒａｄｉｕｓ）を持つ。ドライバークラブヘッド２０は、７インチから１４インチの範囲、より好ましくは８インチ〜１２インチ、最も好ましくは１０インチのロール半径を持つ。ドライバーの実施例では、ホーゼル穴４４の中心線から前側エッジ４１までのフェースプログレッションは好ましくは０．２５０インチ〜０．４００インチ、最も好ましくは０．２８０インチである。
【００２２】
ドライバーの実施例の頂壁３０は、０．０９０インチ〜０．１７０インチの範囲、より好ましくは０．１００インチ〜０．１５０インチの厚さを持つ。頂壁３０は好ましくは均一の厚さを持つ。それに代えて、頂壁３０は中央からゴルフクラブヘッド２０のヒールエンド３４及びトオエンド３３に向けて厚さが減少するテーパー状に厚さを持つようにしてもよい。ドライバーの実施例の底壁２６は、０．０４０インチ〜０．１００インチの範囲、より好ましくは０．０４５インチ〜０．０５５インチの厚さを持つ。底壁２６は好ましくは均一の厚さを持つ。それに代えて、中央からゴルフクラブヘッド２０のヒールエンド３４及びトオエンド３３に向けて厚さが減少するテーパー状の厚さを持つようにすることができる。リボン壁２８は好ましくは底壁２６の近くで０．０４５インチ〜０．０５５インチの範囲の厚さを持ち、エッジ５８で好ましくは０．１４０インチの厚さとなるように上部に向けて厚くされている。ドライバーの実施例の前壁２４は０．０６０インチ〜０．１５０インチ、より好ましくは０．０９０インチ〜０．１００インチの範囲の厚さを持つ。ドライバーの実施例の前壁２４は好ましくは均一の厚さを持つが、前述したように、厚さが変化するようにしてもよい。
【００２３】
好ましい実施例においては、図９−１６に示されるフェアウェイウッドクラブヘッド２０は１９°〜３０°、最も好ましくは２５°のロフト角を持つ。ライ角は好ましくは５６°〜５８．５°で、最も好ましくは５７°である。フェアウェイウッドクラブヘッド２０の質量は２００グラム〜３００グラム、最も好ましくは２３０グラム〜２４５グラムである。
【００２４】
図１３に示されるように、フェアウェイウッドクラブヘッド２０は、好ましくは２．７５インチ〜３．５０インチ、より好ましくは３．０インチ〜３．２５インチの範囲の長さＬｓを持つ。図１０に示されるように、フェアウェイウッドクラブヘッドは２．５０インチ〜４．２５インチ、より好ましくは２．７５インチから３．５０インチ、最も好ましくは３．００インチ〜３．３０インチの範囲の幅Ｗｆを持ち、また、１．２５インチ〜２．００インチの範囲、より好ましくは１．４０インチ〜１．７５インチの範囲の高さＨｆを持つ。
【００２５】
フェアウェイウッドクラブヘッド２０は好ましくは１６インチ〜２４インチ、より好ましくは１８インチ〜２２インチ、最も好ましくは２０インチのバルジ半径を持つ。フェアウェイウッドクラブヘッド２０は好ましくは７インチ〜１４インチ、より好ましくは８〜１３インチ、最も好ましくは１２インチのロール半径を持つ。フェアウェイウッドの実施例において、ホーゼル穴４４の中心線から前側エッジ４１までのフェースプログレッションは好ましくは０．２５０インチ〜０．４００インチの範囲、最も好ましくは０．２７０インチである。
【００２６】
フェアウェイウッドの実施例の頂壁３０は好ましくは０．０９０インチ〜０．１７０インチ、より好ましくは０．１００インチ〜０．１５５インチの範囲の厚さを持つ。頂壁３０は好ましくは均一の厚さを持つ。それに代えて、頂壁３０は中央からゴルフクラブヘッド２０のヒールエンド３４及びトオエンド３３に向けて減少するテーパー状の厚さを持つようにすることもできる。フェアウェイウッドの実施例の底壁２６は好ましくは０．０４０インチ〜０．１００インチ、より好ましくは０．０６０インチ〜０．０８０インチの範囲の厚さを持つ。底壁２６は好ましくは均一の厚さを持つ。それに代えて、底壁２６は中央からゴルフクラブヘッド２０のヒールエンド３４及びトオエンド３３に向けて減少するテーパー状の厚さを持つようにすることもできる。リボン壁２８は好ましくは底壁２６の近くで０．０７０インチ〜０．０８０インチの範囲で、エッジ５８において好ましくは頂壁の０，０８０インチに向けたエッジ５８の厚みを持つように厚みを上方に向けて厚くしている。フェアウェイウッドの実施例の前壁２４は好ましくは０．０６０インチ〜０．１５０インチ、より好ましくは０．１００インチ〜０．１１０インチの範囲の厚さを持つ。フェアウェイウッドの前壁２４の厚さは均一であることが好ましいが、前述したように厚さを変化させるようにしてもよい。
【００２７】
好ましい実施例においては、図１７−２４に示されたアイアンクラブヘッド２０は２９°〜６０°、最も好ましくはロングアイアンで３５°、ミドルアイアンで４５°、ショートアイアンで５５°のロフト角を持つ。ライ角は好ましくは６０°〜６５°、最も好ましくは６３°である。アイアンクラブヘッド２０の質量は好ましくは２２０グラム〜３２０グラムの範囲、最も好ましくはロングアイアンで２４７グラム、ミドルアイアンで２６６グラム、ショートアイアンで３００グラムである。
【００２８】
図２１に示されるように、アイアンクラブヘッド２０は好ましくは２．０インチ〜３．０インチ、より好ましくは２．２５インチ〜２．５０インチの範囲の長さＬｓを持つ。図１８に示されるように、アイアンクラブヘッドは３．００インチ〜３．５０インチ、より好ましくは３．１０インチ〜３．３０インチの範囲の幅Ｗｆを持ち、好ましくは１．３０インチ〜１．７０インチ、より好ましくは１．４０インチ〜１．６５インチの範囲の高さＨｆを持つ。ホーゼル穴４４の中心線から前側エッジ４１までのフェースプログレッションは好ましくは０．２７５インチ〜０．４００インチの範囲で、ロングアイアンで０．３７０インチ、ミドルアイアンで０．３３０インチ、ショートアイアンで０．２９２インチが最も好ましい。
【００２９】
アイアンの実施例の頂壁３０は好ましくは０．０９０インチ〜０．１７０インチ、より好ましくは０．１００インチ〜０．１５０インチの範囲の厚さを持つ。頂壁３０は好ましくは均一な厚さを持つ。それに代えて、頂壁３０は前壁３０から後方に厚さが減少するようなテーパー状の厚さとすることができる。アイアンの実施例の底壁２６は好ましくは０．０５０インチ〜０．３３０インチ、より好ましくは０．１７０インチ〜０．２８０インチの範囲の厚さを持つ。底壁２６は好ましくは均一な厚さを持つ。これに代えて、底壁２６は中央からクラブヘッド２０のヒールエンド３４及びトオエンド３３に向けて厚さが減少するテーパー状の厚さとすることができる。アイアンの実施例の前壁２４は０．１００インチ〜０．１５０インチ、より好ましくは０．１０５インチ〜０．１１５インチの範囲の厚さを持つ。アイアンの実施例の前壁２４は好ましくは均一の厚さを持つが、前述のように、厚さが変化するようにしてもよい。
【００３０】
図２５はクラブヘッド２０の重心の位置とゴルフクラブヘッド２０のＸ軸の回りの慣性モーメントＩｘｘ、ゴルフクラブヘッド２０のＹ軸の回りの慣性モーメントＩｙｙ及びゴルフクラブヘッド２０のＺ軸の回りの慣性モーメントＩｚｚの表を示す。重心はＣＧで示される。重心ＣＧはシャフト中心軸と地表面との関係で与えられる。重心を計算し、慣性モーメントを測定する方法は、ここにその全体が参照として組み入れられる２００１年２月２７日に出願され、「高い慣性モーメントを有する合成材料ゴルフクラブ」の名称の米国特許出願０９／７９６，９５１に記載されている。ゴルフクラブヘッド２０の重心を通る慣性軸はＸ，Ｙ，Ｚで指定されている。Ｘ軸は前壁２４から重心ＣＧを通り、ゴルフクラブヘッド２０の後方に延びる。Ｙ軸はゴルフクラブヘッド２０のトオエンド３３から重心ＣＧを通り、ゴルフクラブヘッドのヒールエンド３４に延びる。Ｚ軸は底壁２６から重心ＣＧを通り、頂壁３０に延びる。
【図面の簡単な説明】
【図１】本発明のドライバークラブヘッドの斜視図である。
【図２】図１のドライバークラブヘッドの正面図である。
【図３】図１のドライバークラブヘッドの背面図である。
【図４】図１のドライバークラブヘッドの平面図である。
【図５】図１のドライバークラブヘッドの底面図である。
【図６】図１のドライバークラブヘッドのヒールサイドから視た図である。
【図７】図１のドライバークラブヘッドのトオサイドから視た図である。
【図８】図２の線８−８に沿う断面図である。
【図９】本発明のフェアウェイウッドクラブの斜視図である。
【図１０】図９のフェアウェイウッドクラブの正面図である。
【図１１】図９のフェアウェイウッドクラブの背面図である。
【図１２】図９のフェアウェイウッドクラブの平面図である。
【図１３】図９のフェアウェイウッドクラブの底面図である。
【図１４】図９のフェアウェイウッドクラブのヒールサイドから視た図である。
【図１５】図９のフェアウェイウッドクラブのトオサイドから視た図である。
【図１６】図１０の線１６−１６に沿う断面図である。
【図１７】本発明のアイアンクラブヘッドの斜視図である。
【図１８】図１７のアイアンクラブヘッドの正面図である。
【図１９】図１７のアイアンクラブヘッドの背面図である。
【図２０】図１７のアイアンクラブヘッドの平面図である。
【図２１】図１７のアイアンクラブヘッドの底面図である。
【図２２】図１７のアイアンクラブヘッドのヒールサイドから視た図である。
【図２３】図１７のアイアンクラブヘッドのトオサイドから視た図である。
【図２４】図１８の線２４−２４に沿う断面図である。
【図２５】好ましいゴルフクラブのセットの重心位置及び慣性モーメントの表である。
【符号の説明】
２０　クラブヘッド
２２　ボディ
２４　前壁
２６　底壁
２８　リボン壁
３０　頂壁
３２　ホーゼル
【図１】
2004000552.tif 000003
【図２】
2004000552.tif 000004
【図３】
2004000552.tif 000005
【図４】
2004000552.tif 000006
【図５】
2004000552.tif 000007
【図６】
2004000552.tif 000008
【図７】
2004000552.tif 000009
【図８】
2004000552.tif 000010
【図９】
2004000552.tif 000011
【図１０】
2004000552.tif 000012
【図１１】
2004000552.tif 000013
【図１２】
2004000552.tif 000014
【図１３】
2004000552.tif 000015
【図１４】
2004000552.tif 000016
【図１５】
2004000552.tif 000017
【図１６】
2004000552.tif 000018
【図１７】
2004000552.tif 000019
【図１８】
2004000552.tif 000020
【図１９】
2004000552.tif 000021
【図２０】
2004000552.tif 000022
【図２１】
2004000552.tif 000023
【図２２】
2004000552.tif 000024
【図２３】
2004000552.tif 000025
【図２４】
2004000552.tif 000026
【図２５】
2004000552.tif 000027
【手続補正書】
【提出日】平成15年7月14日(2003.7.14)
【手続補正１】
【補正対象書類名】図面
【補正対象項目名】全図
【補正方法】変更
【補正の内容】
【図１】
2004000552.tif 000028
【図２】
2004000552.tif 000029
【図３】
2004000552.tif 000030
【図４】
2004000552.tif 000031
【図５】
2004000552.tif 000032
【図６】
2004000552.tif 000033
【図７】
2004000552.tif 000034
【図８】
2004000552.tif 000035
【図９】
2004000552.tif 000036
【図１０】
2004000552.tif 000037
【図１１】
2004000552.tif 000038
【図１２】
2004000552.tif 000039
【図１３】
2004000552.tif 000040
【図１４】
2004000552.tif 000041
【図１５】
2004000552.tif 000042
【図１６】
2004000552.tif 000043
【図１７】
2004000552.tif 000044
【図１８】
2004000552.tif 000045
【図１９】
2004000552.tif 000046
【図２０】
2004000552.tif 000047
【図２１】
2004000552.tif 000048
【図２２】
2004000552.tif 000049
【図２３】
2004000552.tif 000050
【図２４】
2004000552.tif 000051
【図２５】
2004000552.tif 000052